(57)【要約】【課題】  製造が容易なベルトパーティション装置を提供する。【解決手段】  仕切り用のベルト６と、ベルト６が引き出し可能に収納されるケース２とを備え、ケース２は、ベルト６の引出し口が設けられる筒形状の周壁部２２を備え、周壁部２２は、周壁部２２を軸方向に沿って２分割する２つの側壁部２３、２３で構成され、側壁部２３、２３を連結することにより、周壁部２２を形成可能であることを特徴とするベルトパーティション装置１。【選択図】  図１
2006118321.tif 000002
【特許請求の範囲】
【請求項１】
仕切り用のベルトと、前記ベルトが引き出し可能に収納されるケースとを備え、
前記ケースは、前記ベルトの引出し口が設けられる筒形状の周壁部を備え、
前記周壁部が、前記周壁部を軸方向に略沿って分割する複数の側壁部で構成され、
前記複数の側壁部を連結することにより前記周壁部を形成可能である
ことを特徴とするベルトパーティション装置。
【請求項２】
前記各側壁部に係合部が形成され、
前記各係合部は、前記引出し口を有する引出し口部材を取着可能で、かつ、前記係合部により形成される欠落部を閉塞する閉塞部材を取着可能に、構成されている
ことを特徴とする請求項１記載のベルトパーティション装置。
【請求項３】
前記ベルトの先端部に設けられた被係止部と、前記被係止部を係止可能な係止部材とを備え、
前記各側壁部に係合部が形成され、
前記各係合部は、前記引出し口を有する引出し口部材を取着可能で、かつ、前記係止部材を取着可能に、構成されている
ことを特徴とする請求項１記載のベルトパーティション装置。
【請求項４】
前記各係合部は、さらに、前記係合部により形成される欠落部を閉塞する閉塞部材を取着可能に、構成されている
ことを特徴とする請求項３記載のベルトパーティション装置。
【発明の詳細な説明】
【技術分野】
【０００１】
本発明は、仕切り用ベルトをケースから引き出して係止することにより、ベルトを架設して、歩行者の通行規制等を行うベルトパーティション装置に関する。
【背景技術】
【０００２】
従来のベルトパーティション装置１０１を、図９に示す。このベルトパーティション装置１０１は、壁面固定型であり、仕切り用のベルト１０６と、ベルト１０６が引き出し可能に収納されるケース１０２と、ケース１０２を支持するケース支持具１０４と、ベルト１０６の先端部に取着された被係止部１０７と、被係止部１０７が係止される係止部材１０８とを備えている。
【０００３】
そして、ケース支持具１０４と係止部材１０８とを、互いに対向するように壁面に固定し、ケース１０２からベルト１０６を引き出して、被係止部１０７を係止部材１０８に係止することにより、ベルト１０６を架設して、例えば休止中のレジへの進入を規制する等、歩行者の通行規制等を行っている。
【０００４】
このベルトパーティション装置１０１のケース１０２は、ベルト１０６の引出し口が設けられた周壁部１０２ａと、周壁部１０２ａの上端開口部を閉塞する蓋部１０２ｂと、周壁部１０２ａの下端開口部を閉塞する底部１０２ｃとを備えて構成され、周壁部１０２ａは円筒形状に一体的に形成されている。
【０００５】
なお、ケースが分割されて形成されたベルトパーティション装置として、下記特許文献１に記載された仕切り用支柱がある。しかし、この仕切り用支柱は、ケースの外周面に内部の幅が広くなった掛止溝が径方向に周設され、ケースが掛止溝の位置で上下に分割されており、上下の噛み合わせ部を接着することによりケースを組み立てられるようにして、掛止溝を形成し易くしたものである（下記特許文献１の段落「００１６」「００１７」参照）。
【０００６】
したがって、そもそもかかる掛止溝を有さない本発明のベルトパーティション装置とは、分割の目的及び効果が異なるのみならず、分割方向が異なるものであるから、下記特許文献１は本発明の特許性に影響を与えるものではない。
【特許文献１】特開平１１−１３０３１号公報
【発明の開示】
【発明が解決しようとする課題】
【０００７】
従来のベルトパーティション装置１０１は、周壁部１０２ａが一体的な筒形状に形成されているため、周壁部１０２ａを金属製とした場合には、後加工となるベルト１０６の引出し口の形成加工が容易でなく、製造が容易でないという問題があった。また、従来のベルトパーティション装置１０１は、周壁部１０２ａがスチール製であるのが一般的であるが、これを合成樹脂製とすることにより軽量化でき、落下時の衝撃を少なくすることができる。しかし、周壁部１０２ａを合成樹脂製とした場合も、周壁部１０２ａを筒形状に一体形成するのは、型の都合上容易でなく、製造が容易でないという問題があった。
【０００８】
この発明は、上述した問題を解決するものであり、製造が容易なベルトパーティション装置を提供することを目的とする。
【課題を解決するための手段】
【０００９】
本発明のベルトパーティション装置は、仕切り用のベルトと、前記ベルトが引き出し可能に収納されるケースとを備え、前記ケースは、前記ベルトの引出し口が設けられる筒形状の周壁部を備え、前記周壁部が、前記周壁部を軸方向に略沿って分割する複数の側壁部で構成され、前記複数の側壁部を連結することにより前記周壁部を形成可能であることを特徴とする。
【００１０】
ここで、前記各側壁部に係合部が形成され、前記各係合部は、前記引出し口を有する引出し口部材を取着可能で、かつ、前記係合部により形成される欠落部を閉塞する閉塞部材を取着可能に、構成されていることが好ましい。
【００１１】
また、前記ベルトの先端部に設けられた被係止部と、前記被係止部を係止可能な係止部材とを備え、前記各側壁部に係合部が形成され、前記各係合部は、前記引出し口を有する引出し口部材を取着可能で、かつ、前記係止部材を取着可能に、構成されていることとしてもよい。そして、その場合には、前記各係合部は、さらに、前記係合部により形成される欠落部を閉塞する閉塞部材を取着可能に、構成されていることが好ましい。
【発明の効果】
【００１２】
本発明のベルトパーティション装置は、周壁部を軸方向に略沿って分割する複数の側壁部で周壁部が構成されて、それら複数の側壁部を連結することにより周壁部を形成可能であるので、一体的な筒形状の周壁部を製造する必要がなく、筒形を軸方向に略沿って分割した形状の側壁部を製造すればよいこととなり、合成樹脂製の場合には、型の都合上、筒形状の場合に比して製造容易となり、金属製の場合も、引出し口の形成加工が容易となって、製造容易となる。
【００１３】
また、各側壁部に係合部を形成して、各係合部を、引出し口を有する引出し口部材を取着可能で、かつ、係合部によって形成される欠落部を閉塞する閉塞部材を取着可能とすれば、引出し口が設けられる側か否かを問わず、各側壁部を同一形状とすることができ、製造効率が向上する。
【００１４】
また、各側壁部に係合部を形成して、各係合部を、引出し口を有する引出し口部材を取着可能で、かつ、ベルトの先端部の被係止部を係止可能な係止部材を取着可能としても、各側壁部を同一形状とすることができ、製造効率が向上する。そして、さらに、各係合部を、係合部によって形成される欠落部を閉塞する閉塞部材を取着可能に構成すれば、係止部材と閉塞部材とを交換できるので、使用態様によってベルトパーティション装置の形態を変更することができる。
【発明を実施するための最良の形態】
【００１５】
以下、本発明の一実施形態を図面に基づいて説明する。
【００１６】
図１〜図３に示すように、ベルトパーティション装置１は、仕切り用のベルト６、ベルト６が引出し可能に収納されるケース２、ベルト６をケース２内に巻き取るベルト巻取り部５、ベルト６の先端部６１に取着された被係止部７、被係止部７が係止される係止部材８、ケース２を支持するケース支持具４、ケース２内を軸方向に貫通するボルト３１、ボルト３１の先端部に螺着されるナット３２、及び、ナット３２を覆うナットキャップ３３を備えて構成されている。
【００１７】
ケース２は、円筒形状の周壁部２２と、周壁部２２の上端開口部に嵌合される蓋部２１と、周壁部２２の下端開口部に嵌合される底部２４とから構成されて、上下が略閉塞された円筒形状をなしている。周壁部２２、蓋部２１、及び、底部２４は、合成樹脂製である。
【００１８】
周壁部２２は、図２に示すように、周壁部２２を軸方向に沿って２等分する２つの側壁部２３、２３で構成されている。各側壁部２３は、嵌合部２３ａと被嵌合部２３ｂとを備えており、一方の側壁部２３の嵌合部２３ａが、他方の側壁部２３の被嵌合部２３ｂに嵌合されることにより、側壁部２３、２３が連結されて、周壁部２２が形成される。各側壁部２３には、側壁部２３の下端に至る欠落部２０を形成する係合部２９が設けられている。係合部２９には、係合突部２９ａが長手方向に沿って形成されている。
【００１９】
一方の側壁部２３の係合部２９には、引出し口部材２６が取着されている。引出し口部材２６は、図４に示すように、被係止部７が収納される収納部２７と、収納部２７の背面側に形成された係合板部２８とから構成され、収納部２７と係合板部２８とを貫通するスリット状の引出し口２５を有している。収納部２７は、ケース２外方に向かって開放された略箱形状をなしている。係合板部２８には、長手方向に沿った両側に、係合部２９の係合突部２９ａと係合する係合溝２８ａが形成されて、係合板部２８が係合部２９に下方から差し込まれることにより、引出し口部材２６が係合部２９に取着される。
【００２０】
他方の側壁部２３の係合部２９には、閉塞部材３０が取着されている。閉塞部材３０には、長手方向に沿った両側に、係合部２９の係合突部２９ａと係合する係合溝３０ａが形成され、閉塞部材３０が係合部２９に下方から差し込まれることにより、係合部２９によって形成される欠落部２０が閉塞される。
【００２１】
蓋部２１は平面視において円形状で、中心部に円筒状の軸部２１ａ（図３参照）が下方に向けて突設されている。軸部２１ａ内の孔２１ｃは、蓋部２１の上面まで貫通され、孔１ｃの上端開口部の両側には、キャップ差込孔２１ｄが形成されている。また、蓋部２１には、周縁部に嵌合部２１ｂが形成されている。嵌合部２１ｂは、周壁部２２の上端部に形成された上端被嵌合部２３ｃに嵌合される。
【００２２】
底部２４は平面視において円形状で、中心部に円筒状の軸部２４ａが上方に向けて突設されている。軸部２４ａ内の孔２４ｅは、底部２４の下面まで貫通されている。また、底部２４には、軸部２４ａから周縁部まで四方に支持部２４ｂが延設されており、周縁部に嵌合部２４ｃが形成されている。嵌合部２４ｃは、周壁部２２の下端部に形成された下端被嵌合部２３ｄに嵌合される。
【００２３】
ベルト巻取り部５は、ゼンマイバネ５３と、ゼンマイバネ５３が収納される円形蓋状のゼンマイバネ収納部５２と、ゼンマイバネ収納部５２の中心部から上方に向けて突設されて、軸部２１ａ（図３参照）に当接する軸部５１とを備えて構成される。
【００２４】
ゼンマイバネ５３は、金属製で、底部２４の支持部２４ｂに支持され、中心側端部５３ａが軸部２４ａに設けられたスリット２４ｄに係止され、外側端部５３ｂがゼンマイバネ収納部５２に設けられた係止部５２ａに係止されて、ベルト６の巻取り方向に付勢された状態で、ゼンマイバネ収納部５２に収納される。
【００２５】
軸部５１は、外側筒部５１ａと、外側筒部５１ａ内に設けられた内側筒部５１ｂとから構成されている。外側筒部５１ａは、軸方向に沿ってスリット５１ｄが形成された略円筒形状をなし、内側筒部５１ｂは円筒形状をなし、内側筒部５１ｂ内の孔５１ｃは、ゼンマイバネ収納部５２の下面まで貫通されている。
【００２６】
ベルト６は、ナイロン製やポリエステル製等の布を帯状としたもので、引出し口２５に挿通され、基端部６２は、縫着または接着により輪状とされて、外側筒部５１ａと内側筒部５１ｂとの間に差し込まれ、基端部６２に続く部分がスリット５１ｄから引き出される。
【００２７】
ベルト６の先端部６１には、被係止部７が固定されている。被係止部７は、合成樹脂製で柱状をなしており、収納部２７内に収納可能な大きさとされている。
【００２８】
係止部材８は、合成樹脂製で、図１、図２及び図５に示すように、固定部８１と、固定部８１から前側に延設された支持部８２とを備えている。なお、係止部材８については、係止部材８を固定する壁面Ｗ１等に向かう方向を後方とし、その反対方向を前方とする。固定部８１内には、複数の板状の磁石と複数の鉄製板とが交互に並列配置されており、鉄製板は、図２の符号８３で示すように、後端が固定部８１の後面に露出した状態とされ、その露出部分はシール８４で覆われている。また、固定部８１の後部は上下に延設されて、その上下の延設部分にそれぞれビス孔８５が形成されている。支持部８２は、固定部８１の前壁ともなる後壁８２ａと、左右の側壁８２ｂ、８２ｂと、下壁８２ｃとから構成される。そして、側壁８２ｂ、８２ｂ間の間隔は、前端部では被係止部７の最大横幅より小さくされ、前端部より後の部分では被係止部７の最大横幅より若干大きくされて、被係止部７が支持部８２内に上方から収納されるとともに、収納された被係止部７が前方に抜脱しないように構成されている。
【００２９】
ケース支持具４は、合成樹脂製で、図１〜図３に示すように、後壁部４１と、左右の側壁部４２、４２と、上壁部４３と、下壁部４４とを備えて構成される。なお、ケース支持具４については、ケース支持具４を固定する壁面Ｗ２等に向かう方向を後方とし、その反対方向を前方とする。後壁部４１の前側には磁石収納部４６が設けられ、磁石収納部４６内には、固定部８１と同様に、複数の板状の磁石と複数の鉄製板とが交互に並列配置され、鉄製板は後端が後壁部４１の後面に露出した状態とされ、その露出部分はシールで覆われている。また、後壁部４１は上下に延設されて、その上下の延設部分にそれぞれビス孔４５が形成されている。上壁部４３には、ナット孔４３ａが形成され、ナット孔４３ａの両側にキャップ差込孔４３ｂが形成されている。下壁部４４には、ボルト孔４４ａが形成されている。上壁部４３と下壁部４４との間隔は、ケース２の高さと略同一とされ、ケース２が上壁部４３と下壁部４４との間に挟持されるようになっている。
【００３０】
ナットキャップ３３は、合成樹脂製で、平面視において円形状に形成され、下方に向かって２つの脚部３３ａが突設されている。
【００３１】
次に、ベルトパーティション装置１の組み立て方の一例について説明する。なお、ベルトパーティション装置２の組み立て方は、ここで示す手順に限らない。
【００３２】
まず、引出し口部材２６及び閉塞部材３０が取着されていない状態の側壁部２３、２３を連結して、引出し口部材２６及び閉塞部材３０を除いた状態の周壁部２２を形成し、かかる周壁部２２の上端開口部に蓋部２１を嵌合し、一方の側壁部２３の係合部２９に閉塞部材３０を取着する。そして、ベルト６を巻着したベルト巻取り部５を周壁部２２内に収納するとともに、ベルト６が挿通され被係止部７が収納部２７に収納された状態の引出し口部材２６を、他方の側壁部２３の係合部２９に取着し、底部２４を周壁部２２の下端開口部に嵌合する。
【００３３】
次に、ケース２を、ケース支持具４の上壁部４３と下壁部４４との間に挟持する。そして、孔２１ｃの上端開口部がナット孔４３ａ内に配置され、キャップ差込孔２１ｄ、２１ｄとキャップ差込孔４３ｂ、４３ｂとが合致し、孔２４ｅの下端開口部がボルト孔４４ａ内に配置されるように、ケース２を配置する。そして、ボルト３１を、ボルト孔４４ａを介して孔２４ｅに挿通し、孔５１ｃ及び孔２１ｃを貫通させて、ナット孔４３ａ内にボルト３１の先端部を突出させ、ナット３２をボルト３１の先端部に螺着する。これにより、ケース２がケース支持具４から抜脱しなくなるとともに、ボルト３１はベルト巻取り部５の回転軸をなすこととなる。そして、さらに、ナットキャップ３３の脚部３３ａ、３３ａを、キャップ差込孔２１ｄ、２１ｄとキャップ差込孔４３ｂ、４３ｂとにそれぞれ差し込んで、ナット３２をナットキャップ３３で覆うと、ケース２の回転が規制される。
【００３４】
以上のように構成されたベルトパーティション装置１を使用するときは、ケース支持具４の後壁部４１を、ビスにより壁面Ｗ２等に取着する。なお、壁面Ｗ２等が金属面であれば、ケース支持具４内の磁石により取着できる。そして、ケース支持具４と対向するように、係止部材８を壁面Ｗ１等に取着する。係止部材８の取着は、ケース支持具４と同様に、ビスまたは磁石により行える。
【００３５】
かかる状態で、被係止部７を把持してベルト６を引っ張ると、ベルト６はゼンマイバネ５３の付勢力に抗してケース２から引き出される。そして、被係止部７を係止部材８に係止すれば、図１のように、ベルト６がケース２と係止部材８との間に架設される。
【００３６】
また、ベルト６を収納するときは、被係止部７を係止部材８から上方に引き抜けば、ゼンマイバネ５３の付勢力によりゼンマイバネ収納部５２と共に軸部５１が回転し、ベルト６が軸部５１に巻き取られてケース２内に収納され、被係止部７が、図１の２点鎖線７´で示すように収納部２７内に収納される。
【００３７】
また、ベルトパーティション装置１を分解するときは、ナットキャップ３３を抜脱してナット３２を外し、ボルト３１を抜脱して、ケース２をケース支持具４から外す。そして、蓋部２１、底部２４、ベルト巻取り部５、引出し口部材２６、閉塞部材３０を、それぞれ抜脱して、側壁部２３、２３を分離すれば、ベルトパーティション装置１は分解される。
【００３８】
このように、ベルトパーティション装置１は、周壁部２２が軸方向に沿って２つの側壁部２３、２３に分解可能であり、側壁部２３、２３を連結することにより形成可能である。このため、一体的な筒形状の周壁部２２を製造する必要がなく、筒形を軸方向に沿ったラインで分割した形状の側壁部２３、２３を製造すればよいこととなり、合成樹脂製の場合には、型の都合上、円筒形の場合に比して製造容易となり、金属製の場合でも、引出し口２５の形成加工が容易となって、製造容易となる。なお、壁面Ｗ２等からの脱落を防止するための重量の軽減、及び、嵌合部２３ａ等の形成の容易さという点からは、周壁部２２を合成樹脂とすることが望ましい。
【００３９】
また、ベルトパーティション装置１では、ベルト６の基端部６２が軸部５１に固着されていないので、基端部６２を軸部５１から抜脱することにより、ベルト６をベルト巻取り部５から取り外すことができる。そして、基端部６２を引出し口２５から引き抜けば、ベルト６が被係止部７と共に自由となり、ベルト６を被係止部７と共に交換することができる。さらに、被係止部７をベルト６から取外し可能とすれば、ベルト６のみの交換も可能となる。勿論、基端部６２を軸部５１に固着することとしてもよい。
【００４０】
さらに、ベルトパーティション装置１では、引出し口２５を直接側壁部２３に形成するのではなく、各側壁部２３に係合部２９を形成しておき、一方の係合部２９には引き出し口２５を有する引出し口部材２６を取着し、他方の係合部２９には閉塞部材３０を取着して欠落部２０を閉塞することとしたので、引き出し口２５が設けられる側の側壁部２３と引き出し口２５が設けられない側の側壁部２３とを同一形状にでき、各側壁部２３が同じ型で製造できるため、製造効率が向上する。
【００４１】
次に、他の実施形態について説明する。なお、ベルトパーティション装置１と同一の構成要素については、同一の符号を用いて、その説明を省略する。
【００４２】
図６に示すベルトパーティション装置２０１は、ポール型であり、一方の側壁部２３の係合部２９には引出し口部材２６が取着されているが、他方の側壁部２３の係合部２９には、被係止部７を係止可能な係止部材２０２が取着されている。係止部材２０２は、図７に示すように、被係止部７を収納可能な支持部２０２ａと、支持部２０２ａの背面側に設けられる係合板部２０２ｂとから構成される。支持部２０２ａは支持部８２と略同形である。係合板部２０２ｂは係合板部２８と略同形であるが、引出し口２５は形成されていない。
【００４３】
また、ベルトパーティション装置２０１では、ケース２の上端部にキャップ部２０３が冠着され、ケース２の下端部にポール連結部２０４が取着されている。そして、ポール連結部２０４にポール２０５が連結され、ポール２０５は台２０６に立設される。
【００４４】
かかるベルトパーティション装置２０１では、ベルト６の先端部６１に設けられた被係止部７を、他のベルトパーティション装置２０１の係止部材２０２に係止することにより、図６に示すように、ベルトパーティション装置２０１、２０１間にベルト６を架設することができる。
【００４５】
さらに、図８に示すベルトパーティション装置３０１は、ポール型であって、周壁部２２が、周壁部２２を軸方向に沿って４等分する４つの側壁部３０２で構成され、４つの側壁部３０２を連結することにより、周壁部２２を形成可能である。そして、各側壁部３０２に設けられた係合部２９のうち、１つの係合部２９には、引出し口部材２６が取着されている（但し、図８では見えない位置にあるので、図示されていない。）が、他の３つの係合部２９には、ベルトパーティション装置２０１と同じ係止部材２０２が取着されている。その他の部分は、ベルトパーティション装置２０１と同様に構成されている。
【００４６】
かかるベルトパーティション装置３０１では、１つのベルトパーティション装置３０１を中心として、四方にそれぞれ他のベルトパーティション装置３０１を配置する。このとき、中心のベルトパーティション装置３０１の引出し口部材２６と、他の１つのベルトパーティション装置３０１の係止部材２０２とを対向させ、中心のベルトパーティション装置３０１の各係止部材２０２と、他の３つのベルトパーティション装置３０１の引出し口部材２６をそれぞれ対向させる。そして、中心のベルトパーティション装置３０１の被係止部７を、対向する他のベルトパーティション装置３０１の係止部材２０２に係止し、他の３つのベルトパーティション装置３０１の被係止部７を、それぞれ、中心のベルトパーティション装置３０１の対向する係止部材２０２に係止すれば、十文字形状にベルト６を架設することができる。なお、他のベルトパーティション装置３０１の代わりに、ベルトパーティション装置２０１を四方に配置してもよい。
【００４７】
また、ベルトパーティション装置３０１において、引出し口部材２６の反対側の係止部材２０２以外の２つの係止部材２０２を、閉塞部材３０に交換すれば、ベルトパーティション装置３０１を、ベルトパーティション装置２０１と同形にすることもできる。
【００４８】
このように、本発明のベルトパーティション装置は、係合部２９に取着する部材を変えることにより使用態様に応じて種々の形態に変更することができ、また、壁面固定型かポール型かも問わない。
【００４９】
また、周壁部２２の分割数も２つや４つに限るものではない。また、各側壁部２３等は周壁部２２を等分するものでなくてもよいが、各側壁部２３を同形にするためには、等分するものであることが望ましい。さらに、周壁部２２の形状も円筒形状に限らず、横断面が多角形状の筒状であってもよい。すなわち、特許請求の範囲を逸脱しない範囲で、本発明は種々の構成を採り得る。
【図面の簡単な説明】
【００５０】
【図１】本発明の一実施形態に係るベルトパーティション装置の斜視図である。
【図２】図１のベルトパーティション装置の分解斜視図である。
【図３】ベルト、ゼンマイバネ等を省略した図１のベルトパーティション装置の要部縦断面図である。
【図４】（ａ）、（ｂ）はそれぞれ異なる方向から見た図１のベルトパーティション装置の引出し口部材の斜視図である。
【図５】図１のベルトパーティション装置の係止部材の斜視図である。
【図６】本発明の他の実施形態に係るベルトパーティション装置の概略側面図である。
【図７】図６のベルトパーティション装置の係止部材の斜視図である。
【図８】本発明の更に他の実施形態に係るベルトパーティション装置の斜視図である。
【図９】従来のベルトパーティション装置の概略側面図である。
【符号の説明】
【００５１】
１、２０１、３０１…ベルトパーティション装置
２…ケース
６…ベルト
７…被係止部
８、２０２…係止部材
２０…欠落部
２２…周壁部
２５…引出し口
２６…引出し口部材
２９…係合部
３０…閉塞部材
６１…先端部
【図１】
2006118321.tif 000003
【図２】
2006118321.tif 000004
【図３】
2006118321.tif 000005
【図４】
2006118321.tif 000006
【図５】
2006118321.tif 000007
【図６】
2006118321.tif 000008
【図７】
2006118321.tif 000009
【図８】
2006118321.tif 000010
【図９】
2006118321.tif 000011